(57)【要約】【課題】  誤操作を防止する。【解決手段】  電子血圧計１は、表示部２と操作部４を備えて、血圧測定により取得した血圧値を表示部２の領域２Ａに表示する。操作部４には複数の操作スイッチを有する。表示部２には操作スイッチのそれぞれについて、当該操作スイッチの操作に応じた表示をするための表示領域２Ｂと２Ｃを有し、操作部４の使用者選択スイッチ群４２、測定スイッチ７３および記録呼出スイッチ７４のそれぞれと表示部２におけるこれら操作スイッチについての表示領域２Ｂと２Ｃとは近接して配置される。【選択図】        図２
2007044439.tif 000002
【特許請求の範囲】
【請求項１】
血圧測定部位に装着するカフと、
カフに加える圧力を調整する加圧・減圧手段と、
カフ内の圧力を検出する圧力検出手段と、
前記圧力検出手段の検出信号に基づき血圧値を算出する血圧算出手段と、
算出された血圧値を記憶する記憶手段と、
少なくとも血圧値を表示する表示手段と、
複数の操作スイッチを有する操作手段とを備えた電子血圧計において、
前記表示手段は前記操作スイッチのそれぞれについて、当該操作スイッチの操作に応じた表示をするための表示部を有し、
前記操作スイッチのそれぞれと前記表示手段における当該操作スイッチについての前記表示部とは近接して配置されることを特徴とする、電子血圧計。
【請求項２】
血圧測定部位に装着するカフと、
カフに加える圧力を調整する加圧・減圧手段と、
カフ内の圧力を検出する圧力検出手段と、
前記圧力検出手段の検出信号に基づき血圧値を算出する血圧算出手段と、
算出された血圧値を記憶する記憶手段と、
少なくとも血圧値を表示する表示手段と、
複数の操作スイッチを有する操作手段とを備えた電子血圧計において、
前記表示手段は前記操作スイッチのそれぞれについて、当該操作スイッチの操作に応じた表示をするための表示部を有し、
前記操作スイッチの配列に従い各操作スイッチに対応する前記表示部が配列されることを特徴とする、電子血圧計。
【請求項３】
血圧測定部位に装着するカフと、
カフに加える圧力を調整する加圧・減圧手段と、
カフ内の圧力を検出する圧力検出手段と、
前記圧力検出手段の検出信号に基づき血圧値を算出する血圧算出手段と、
算出された血圧値を記憶する記憶手段と、
少なくとも血圧値を表示する表示手段と、
複数の操作スイッチを有する操作手段とを備えた電子血圧計において、
前記表示手段は前記操作スイッチのそれぞれについて、当該操作スイッチの操作に応じた表示をするための表示部を有し、
操作の種別毎に、当該操作のための前記操作スイッチと、当該操作スイッチについての前記表示部とが区分して配置されることを特徴とする、電子血圧計。
【請求項４】
前記電子血圧計は複数の被測定者により共用されて、
前記複数の操作スイッチには、前記被測定者の別を指示するために操作されるスイッチが含まれる、請求項１〜３のいずれか１項に記載の電子血圧計。
【請求項５】
前記電子血圧計は、血圧の測定モードと前記メモリから前記血圧値を呼出す記録呼出モードとを有し、
前記複数の操作スイッチには、動作モードとして前記測定モードおよび前記記録呼出モードのいずれかを指定するために操作されるスイッチが含まれる、請求項１〜３のいずれか１項に記載の電子血圧計。
【請求項６】
前記記憶手段には、血圧測定において算出された前記血圧値が、当該血圧測定の条件と関連付けて記憶されて、
前記複数の操作スイッチには、前記記憶手段から所望の前記条件に関連付けされた前記血圧値を呼出すのを指示するために操作されるスイッチが含まれる、請求項１〜３のいずれか１項に記載の電子血圧計。
【発明の詳細な説明】
【技術分野】
【０００１】
この発明は電子血圧計に関し、特に、操作スイッチのガイド機能を有する電子血圧計に関する。
【背景技術】
【０００２】
現在、家庭で血圧を測定する機器が急速に普及している。血圧は循環器疾患を解析する指標の一つであり、血圧に基づいてリスク解析を行なうことは、たとえば脳卒中や心不全や心筋梗塞などの心血管系の疾患の予防に有効である。
【０００３】
これらのリスク解析は、少なくとも１週間以上の長期間にわたって、同一条件下で測定した測定結果に基づいて行なう必要がある。そこで複数回の測定結果を記録する機能を保有しており、中には、複数人の測定結果が記録可能な血圧計や、朝や夜など測定した条件毎に測定結果が記録可能な血圧計が開発されている。
【０００４】
特許文献１には、複数の使用者で兼用される電子血圧計において、使用者の切替えボタンを操作すると、使用者を切替えて、切替えされた使用者のメモリ領域に測定血圧値を記憶する機能が開示されている。
【特許文献１】特開２００２−２７２６８６号公報
【発明の開示】
【発明が解決しようとする課題】
【０００５】
従来のたとえば、複数人の測定結果を記録する血圧計においては、測定する人を指定する方法として、測定前または測定後にユーザがスイッチ入力することで指定していた。同様に、測定した条件毎に測定結果を記録する血圧計においても、測定前または測定後にユーザが測定条件をスイッチで入力することで指定していた。これらの方法においては、液晶ディスプレイに操作スイッチの操作結果、たとえば選択した使用者や測定条件を表示しているが、表示部と操作スイッチが各々独立・乖離しているため、表示とスイッチ操作が直結しない。そのため、たとえば使用者を複数人設定可能な血圧計においては、確実に使用者を選択して血圧を測定することで、長期間にわたって記録した血圧値が疾患のリスク解析に有効となるが、使用者選択を間違っていることに気づかずに測定を行なった場合、上記測定記録が無効なデータとなってしまう。
【０００６】
たとえば、特許文献１では、使用者の切替ボタンを操作すると切替された使用者の識別記号が表示されるけれども、当該識別表示と切替ボタンとの位置は無関係であったから、切替ボタンから離れた、または関連のない位置に識別記号が表示されている。したがって、使用者は、表示された識別記号を見落としやすく、使用者選択の操作が誤っていることに気づかずに血圧測定してしまう。
【０００７】
それゆえに、この発明の目的は、誤操作を防止することができる電子血圧計を提供することである。
【課題を解決するための手段】
【０００８】
この発明のある局面に従う電子血圧計は、血圧測定部位に装着するカフと、カフに加える圧力を調整する加圧・減圧手段と、カフ内の圧力を検出する圧力検出手段と、圧力検出手段の検出信号に基づき血圧値を算出する血圧算出手段と、算出された血圧値を記憶する記憶手段と、少なくとも血圧値を表示する表示手段と、複数の操作スイッチを有する操作手段とを備えて、表示手段は操作スイッチのそれぞれについて、当該操作スイッチの操作に応じた表示をするための表示部を有し、操作スイッチのそれぞれと表示手段における当該操作スイッチについての表示部とは近接して配置される。
【０００９】
したがって、使用者は操作スイッチに近接した位置で操作に応じた表示を確認できるので、誤操作であることを速やかに、かつ確実に知ることができて誤操作を防止するのが確実、かつ容易となる。したがって、長期間にわたって測定した血圧の測定記録の信頼性が向上し、疾患のリスク解析に有効なデータとなる。
【００１０】
この発明の他の局面に従う電子血圧計は、血圧測定部位に装着するカフと、カフに加える圧力を調整する加圧・減圧手段と、カフ内の圧力を検出する圧力検出手段と、圧力検出手段の検出信号に基づき血圧値を算出する血圧算出手段と、算出された血圧値を記憶する記憶手段と、少なくとも血圧値を表示する表示手段と、複数の操作スイッチを有する操作手段とを備えた電子血圧計において、表示手段は操作スイッチのそれぞれについて、当該操作スイッチの操作に応じた表示をするための表示部を有し、操作スイッチの配列に従い各操作スイッチに対応する表示部が配列される。
【００１１】
したがって、使用者は操作スイッチの配列に従う位置で操作したスイッチに応じた表示を確認できるので、誤操作であることを速やかに、かつ確実に知ることができて誤操作を防止するのが確実、かつ容易となる。
【００１２】
この発明のさらに他の局面に従う電子血圧計は、血圧測定部位に装着するカフと、カフに加える圧力を調整する加圧・減圧手段と、カフ内の圧力を検出する圧力検出手段と、圧力検出手段の検出信号に基づき血圧値を算出する血圧算出手段と、算出された血圧値を記憶する記憶手段と、少なくとも血圧値を表示する表示手段と、複数の操作スイッチを有する操作手段とを備えて、表示手段は操作スイッチのそれぞれについて、当該操作スイッチの操作に応じた表示をするための表示部を有し、操作の種別毎に、当該操作のための操作スイッチと、当該操作スイッチについての表示部とが区分して配置される。
【００１３】
したがって、使用者は操作の種別毎に操作スイッチと同一の区分に従う位置で、操作したスイッチに応じた表示を確認できるので、誤操作であることを速やかに、かつ確実に知ることができて誤操作を防止するのが確実、かつ容易となる。
【００１４】
上述のいずれの電子血圧計においても、表示部を表示手段に設けて、表示部を血圧値の表示の部分を利用して構成することができるから、別途表示部を設けるよりも、構造が複雑でなく安価とし、かつ故障も少なくすることができる。
【００１５】
好ましくは、電子血圧計は複数の被測定者により共用されて、複数の操作スイッチには、被測定者の別を指示するために操作されるスイッチが含まれる。したがって、スイッチ操作により被測定者の別が誤って指示されたか否かを操作後に速やかに、かつ確実に知ることができる。
【００１６】
好ましくは、電子血圧計は、血圧の測定モードとメモリから血圧値を呼出す記録呼出モードとを有し、複数の操作スイッチには、動作モードとして測定モードおよび記録呼出モードのいずれかを指定するために操作されるスイッチが含まれる。したがって、スイッチ操作により電子血圧計の動作モードの指定操作が誤っているか適切であるかを、操作後速やかに、かつ確実に知ることができる。
【００１７】
好ましくは、記憶手段には、血圧測定において算出された前記血圧値が、当該血圧測定の条件と関連付けて記憶されて、複数の操作スイッチには、記憶手段から所望の条件に関連付けされた血圧値を呼出すのを指示するために操作されるスイッチが含まれる。したがって、スイッチ操作により呼出し対象の血圧値の測定条件の指示操作が誤っているか適切であるかを、操作後速やかに、かつ確実に知ることができる。
【発明の効果】
【００１８】
発明によれば、誤操作であることを速やかに、かつ確実に知ることができて誤操作を防止するのが確実、かつ容易となる。したがって、長期間にわたって測定した血圧の測定記録の信頼性が向上し、疾患のリスク解析に有効なデータとなる。
【００１９】
また、表示部を表示手段に設けて、表示部を血圧値の表示の部分を利用して構成することができるから、別途表示部を設けるよりも、構造が複雑でなく安価とし、かつ故障も少なくすることができる。
【発明を実施するための最良の形態】
【００２０】
以下図面を参照して実施の形態について説明する。
図１〜図３には、実施の形態に係る複数人の被測定者で共用可能な電子血圧計１の構成が示される。電子血圧計１は、本体６１と本体６１の表面を覆って保護するために設けられたフロントカバー６０を備える。フロントカバー６０は図１と図２に示されるように開閉自在に設けられる。電子血圧計１は動作モードとして後述する血圧の測定モードと、血圧測定結果をメモリから呼出す記録呼出モードとを有する。
【００２１】
フロントカバー６０は、図１のように閉じた状態では本体６１の表面が外部から確認できるように透明の材料から形成されてもよく、また不透明の材料から形成されてもよい。透明の材料からなる場合には、血圧測定時にフロントカバー６０を閉じた状態としても表示部２の表示内容（測定中の血圧）を確認するのに都合がよい。
【００２２】
また、本体６１の図面手前側の側面には、電子血圧計１に電源供給するためのコネクタ部２０が設けられて、反対側の側面には図示されないが血圧測定時の空気供給／排気のためのエアコネクタ３１が設けられている。
【００２３】
図３には、血圧測定時の電子血圧計１の使用のための態様が示される。血圧測定するために、被測定者がフロントカバー６０を開けて（図２参照）本体６１の前面部（手前）に収容されている電源コード１８が巻かれたコードリール１９と、カフ５とを取出す。そして、図３に示すようにコードリール１９に巻かれていた電源コード１８を解いて、電源コード１８の一方端のプラグ１７をコネクタ部２０に差し込み、コードリール１９の電源コード１８の他方端の図示されないプラグを図示のないＡＣ電源（商用電源）のコンセント部に挿入する。これにより、電子血圧計１には、ＡＣ電源から電源コード１８を介して電源が供給される。
【００２４】
また、カフ５に接続されたエアチューブ３は一方端はカフ５の図示のない内部の空気袋に接続され、他方端は本体６１のエアコネクタ３１（図示せず）に挿入される。これにより、エアチューブ３を介して、本体６１からカフ５（空気袋）への空気の供給／排気が可能となる。
【００２５】
電子血圧計１は、本体６１に対してカフ５および電源コード１８を着脱自在とすることにより、カフ５と電源コード１８を本体６１とは別体に備えているが、カフ５のみを別体とし、本体６１と電源コード１８を一体的に設けるようにしてもよく、電源コード１８のみを別体とし、本体６１とカフ５を一体的に設けるようにしてもよく、また電源コード１８、カフ５および本体６１を一体的に設けてもよい。また、フロントカバー６０は本体６１の表面全部を覆うように設けられているが、たとえば前面部（手前）の電源コード１８が巻かれたコードリール１９およびカフ５を収容する部分を除いた他の部分だけを覆うように設けられてもよい。
【００２６】
本体６１の表面には、ユーザが操作可能なように操作部４が設けられ、またユーザが表示内容を確認可能なように測定結果などを表示する表示部２が設けられる。
【００２７】
操作部４には、電源スイッチ４１、使用者選択スイッチ群４２を構成する使用者選択スイッチ４２Ａおよび４２Ｂ、電子血圧計１を血圧の測定モードに移行させて測定の開始または停止を指示するために操作される測定スイッチ４３、電子血圧計１を本体６１内部の後述するメモリ１３に格納された血圧測定結果のデータを呼出す（メモリ１３から読出されて表示部２に表示する）記録呼出モードに移行させるために操作される記録呼出スイッチ４４、呼出す対象のデータが朝の測定結果であるか、夜の測定結果であるかを指定するために操作される朝スイッチ４５と夜スイッチ４６、および後述のタイマ１４の計時時間を設定するための時計設定スイッチ４７を含む。
【００２８】
ここでは図３に示すように、操作の種別（項目）毎に、当該操作のための操作部４のスイッチと、当該スイッチについての操作に応じた表示部２の表示とが区分して配置される。具体的には、表示部２は、測定（血圧、脈拍、測定時間など）データを表示するための領域２Ａ、使用者選択スイッチ４２Ａおよび４２Ｂの操作に応じて使用者（被測定者）の別を表示するための領域２Ｂ、および表示部２Ａに表示されている対象データに関連した内容の表示領域２Ｃ、たとえば測定スイッチ４３または記録呼出スイッチ４４の操作に応じて電子血圧計１が有する動作モードの種類である‘測定’または‘記録’の動作モードの別を表示し、朝スイッチ４５または夜スイッチ４６の操作に応じて‘朝’または‘夜’の別を表示する領域２Ｃを含む。領域２Ｂと２Ｃの表示用のデータは予めメモリ１３などに格納されており、ＣＰＵ１６１により読出されて表示されると想定する。領域２Ｂと２Ｃは、操作部４の対応の操作スイッチの操作に応じた表示をするための表示部である。
【００２９】
図３では、各種スイッチの操作に応じたデータを表示する表示部２のこれらの領域それぞれは、各種スイッチに近接して設けられる。
【００３０】
図４を参照して、本実施の形態に係る電子血圧計１は、被測定者の血圧測定部位（上腕）に装着されて空気圧により加圧するためのカフ５と、本体６１とカフ５とを接続するエアチューブ３を備える。図４では、エアコネクタ３１を境にして右側は本体６１に相当する各部を示す。本体６１は被測定者が表示内容を確認可能なように設けられた表示部２および被測定者が外部から操作可能なように設けられた操作部４を備える。ここでは測定部位を上腕としたがこれに限定されず、手首または指であってもよい。
【００３１】
本体６１はカフ５に内蔵されている空気袋（図示せず）を介して検出される被測定部位の脈圧の変化を脈波の信号として出力するための圧力センサ７、圧力センサ７から出力される圧力を示す電圧信号を増幅する増幅回路８、空気袋の測定部位に対する加圧（空気圧）レベルを調整するためのポンプ９および弁１０、ポンプ９を駆動するポンプ駆動回路１１、弁１０の開閉を調整するための弁駆動回路１２、メモリ１３、計時動作して計時データを出力するタイマ１４、コネクタ部２０を有してコネクタ部２０を介して与えられる電力を本体６１の各部に供給する電源部１５および制御部１６を備える。制御部１６は、本体６１の各部を制御するＣＰＵ（Central Processing Unit）１６１ならびに入力ポート７１、７２Ａ、７２Ｂ、７３および７４を有する。
【００３２】
時計設定スイッチ４７の操作によりタイマ１４の計時データを外部から設定することができる。
【００３３】
電源部１５は充電可能な図示のないバッテリを有して、コネクタ部２０に電源ケーブル１８が接続されない間は、当該バッテリからＣＰＵ１６１を含む制御部１６に電力を供給する。コネクタ部２０に電源ケーブル１８が接続されると、電源ケーブル１８を介して外部のＡＣ電源から供給される電力は電源部１５により本体６１の各部に供給されるとともに、当該バッテリを充電するのにも用いられる。なお、電源部１５は充電可能なバッテリの代わりにアルカリ乾電池で構成されてもよい。その場合、コネクタ部２０に電源ケーブル１８が接続されない間は、当該乾電池からＣＰＵ１６１を含む制御部１６に電力を供給する。コネクタ部２０に電源ケーブル１８が接続されると、電源ケーブル１８を介して外部のＡＣ電源から供給される電力は電源部１５により本体６１の各部に供給されるとともに、当該乾電池は電気的に本体６１の各部と切り離された状態になる。
【００３４】
メモリ１３は、電子血圧計１を複数人で共用するために各ユーザについて測定結果の記憶領域を個別に有する。ここでは２人で共用するために各ユーザ（被測定者）について測定結果記憶領域１３Ａと１３Ｂを有する。測定結果記憶領域１３Ａと１３Ｂそれぞれには、血圧測定結果（最高血圧、最低血圧、脈拍数、測定時間、朝/夜の別）データが格納される。ここでは血圧測定結果は測定条件と関連付けして格納される。たとえば測定条件は血圧測定が行なわれたのは‘朝’または‘夜’であるかの別を示したり、起床後/就寝前の別であったり、投薬前/投薬後の別であったり、運動前/運動後の別であったり、週末/ウィークデイの別であったりする。ここでは一例として、朝/夜の別を測定条件として示している。
【００３５】
‘朝/夜の別’は、ＣＰＵ１６１が、タイマ１４から入力した測定時間データが、朝の所定期間に該当すると判定すればＣＰＵ１６１により‘朝’を指示するようにセットされて、夜の所定期間に該当すると判定すれば‘夜’を指示するようにセットされる。
【００３６】
図３と図４を参照して、操作部４は、電源スイッチ４１、被測定者を区別するために操作される使用者選択スイッチ４２Ａと４２Ｂ、加圧の開始（測定の開始）または停止（測定の停止）を指示するために操作される測定スイッチ４３、時計設定スイッチ４７、記憶された測定結果データを呼出す（メモリ１３から測定結果のデータを読出して、表示部２に読出した測定結果データを表示する）ために操作される記録呼出スイッチ４４、ならびに朝スイッチ４５と夜スイッチ４６を有する。
【００３７】
朝スイッチ４５と夜スイッチ４６は、記憶された測定結果データの呼出し時に呼出しの対象となるデータを指定するために操作される。つまり、呼出し対象の測定結果データは朝/夜の別が‘朝’を指示するデータであるか、‘夜’を指示するデータであるかを指定するために操作される。
【００３８】
使用者選択スイッチ４２Ａまたは４２Ｂが操作されると、操作されたスイッチに従い測定結果データの格納先または呼出し先が測定結果記憶領域１３Ａと１３Ｂのいずれか一方に指定される。使用者選択スイッチ４２Ａが操作されると測定結果記憶領域１３Ａが指定されて、使用者選択スイッチ４２Ｂが操作されると測定結果記憶領域１３Ｂが指定される。
【００３９】
電源スイッチ４１は後述の電源部１５から各部（制御部１６を除く）への動作のための電力供給をＯＮ／ＯＦＦするために操作される。したがって、動作中に電源スイッチ４１が操作されると動作は停止（終了）させられる。
【００４０】
図４の操作部４には、説明のために、電源スイッチ４１、使用者選択スイッチ４２Ａと４２Ｂからなる使用者選択スイッチ群４２、測定スイッチ４３および記録呼出スイッチ４４が示される。
【００４１】
制御部１６は上述したように入力ポート７１〜７４を有する。入力ポート７１は電源スイッチ４１に接続されて電源スイッチ４１が操作されて出力する信号を入力し、入力ポート７２Ａと７２Ｂは使用者選択スイッチ４２Ａと４２Ｂのそれぞれに接続されて接続されたスイッチが操作されて出力する信号を入力し、入力ポート７３は測定スイッチ４３に接続されて測定スイッチ４３が操作されて出力する信号を入力する。入力ポート７４は記録呼出スイッチ４４に接続されて記録呼出スイッチ４４が操作されて出力する信号を入力する。各入力ポートに与えられる信号はＣＰＵ１６１により検出される。
【００４２】
入力ポート７１〜７４のそれぞれに与えられる信号は、所定時間幅を有したパルス信号であり、詳細には当該パルス信号は対応スイッチが操作されると“０”→“１”と変化し、その後ごく短い所定期間レベル“１”を維持し、当該期間終了後、“０”に変化するような信号である。ＣＰＵ１６１は入力ポートのいずれかにパルス信号が与えられたことを検出すると、当該入力ポートに接続されたスイッチが操作されたと判別（検出）する。
【００４３】
図５には本実施の形態に係る電子血圧計１の動作（血圧測定動作、測定データ呼出動作）のフローチャートが示される。図５に示されるフローチャートは、予めプログラムとしてメモリ１３の所定領域に格納されて、ＣＰＵ１６１により読出されて実行される。
【００４４】
図５の手順に従い、図６〜図１０を参照して動作を説明する。なお、予め、被測定者は血圧測定時にはエアチューブ３をエアコネクタ３１に接続して、カフ５を測定部位に巻付け、かつプラグ１７をコネクタ部２０に差込んで、電源ケーブル１８はＡＣ電源に接続されて本体６１の各部に電力が供給されていると想定する。血圧測定データの呼出し時には被測定者は、プラグ１７をコネクタ部２０に差込んで、電源ケーブル１８をＡＣ電源に接続するようにしているが、カフ５の装着は不要なので、エアチューブ３をエアコネクタ３１に接続してカフ５の巻付け操作はしていない場合もある。
【００４５】
図６〜図１０では実際は図３に示すように本体６１にカフ５が接続されて、電源コード１８が接続されているが、図示を簡単にするために、これらの接続は略している。
【００４６】
このような状態において、被測定者は電子血圧計１を準備して、図６のように本体カバー６０を開ける。このとき、表示部２には何も表示されていない。そして、被測定者は、電子血圧計１の各部に電力を供給して動作を開始させるために電源スイッチ４１を操作する（ステップＳ（以下、単にＳと略す）１）。ＣＰＵ１６１は、入力ポート７１に入力する信号レベルに基づき、電源スイッチ４１が操作されたことを検出するので、ＣＰＵ１６１は、制御部１６の図示のされない作業用メモリを初期化し、各部を制御してカフ５の空気袋内の空気を排気し、圧力センサ７の０ｍｍＨｇ補正を行なう（Ｓ２）。
その後、ＣＰＵ１６１は、表示部２の領域２Ａに、電源がオンされて各部に電力が供給されて動作（血圧測定または測定データの呼出し）が可能な状態にあることを知らせるために、図７に示されるようなデータを表示する（Ｓ３）。当該表示を見た被測定者は、電源スイッチ４１を操作したことに応じて各部に電力が供給されたことを確認することができる（Ｓ３）。
【００４７】
その後、ＣＰＵ１６１は何らかのスイッチが操作されるまで（Ｓ８）、スイッチ入力待ちの状態に移行する（Ｓ７）。スイッチ入力待ち状態において、ＣＰＵ１６１は被測定者により何らかのスイッチが操作されたことを入力ポート７１〜７４のいずれかのポートの信号レベルが変化するか否かを検出する（Ｓ８）。信号レベルが変化した入力ポートの別に基づき、操作されたのは使用者選択スイッチ４２Ａと４２Ｂおよび電源スイッチ４１を除く他のスイッチであると判定する間は（Ｓ８で‘他のスイッチ’）、スイッチ入力待ちの状態にある（Ｓ７）。
【００４８】
ＣＰＵ１６１は、電源スイッチ４１に対応の入力ポート７１にパルス信号が与えられたことを判定すると（Ｓ８で‘電源スイッチ’）、一連の処理を終了する。これにより、今回の動作が強制的に終了する。
【００４９】
一方、ＣＰＵ１６１は入力ポート７２Ａまたは７２Ｂにパルス信号が入力されたことを判定すると（Ｓ８で‘使用者選択スイッチ’）、入力ポート７２Ａにパルス信号が与えられた場合には、使用者を“Ａ”、すなわち測定結果の書込先および呼出し先を測定結果記憶領域１３Ａと設定し、入力ポート７２Ｂにパルス信号が与えられた場合には、使用者を“Ｂ”、すなわち測定結果の書込先および呼出し先を測定結果記憶領域１３Ｂと設定して、設定の結果を表示部２に、たとえば図８のように表示する（Ｓ９）。
【００５０】
図８では、表示部２の表示領域２Ａに測定動作または測定結果データの呼出の動作が可能な状態が整ったことを示すように“０”を表示し表示領域２Ｂには、使用者として“Ａ”が選択されたことを明示する。これにより、被測定者は、電子血圧計１において正しい使用者選択の設定がなされたことを知ることができるとともに、動作が可能な状態になったことも知ることができる。
【００５１】
その後、ＣＰＵ１６１は、スイッチ入力待ち状態に移行する（Ｓ１０）。スイッチ入力待ち状態は、いずれかの入力ポートにパルス信号が与えられたことを検出するまでは継続する。いずれかの入力ポートにパルス信号が与えられた場合、そのパルス信号に対応のスイッチは何であるかを当該入力ポートの別に基づき判定する（Ｓ１１）。パルス信号が与えられたのは入力ポート７１であることを判定すると（Ｓ１１で‘電源スイッチ’）、ＣＰＵ１６１は電源部１５を各部への電力供給を停止するように指示するので、電源部１５による各部への電力供給は停止する。したがって、図６のように表示も消える。そして、一連の処理は終了する。
【００５２】
一方、入力ポート７３にパルス信号が与えられたことを判定すると（Ｓ１１で‘測定スイッチ’）、ＣＰＵ１６１は図９のようにデータ表示するＳ１２以降の血圧測定のための処理（後述する）を開始する。
【００５３】
入力ポート７１および７３を除く他の入力ポートにパルス信号が与えられたことを判定すると、測定スイッチ４３および電源スイッチ４１を除く他のスイッチが操作されと判定し（Ｓ１１で‘他のスイッチ’）、操作された他のスイッチの種別を判別する（Ｓ１８）。つまり、パルス信号が与えられた入力ポートが入力ポート７２Ａまたは７２Ｂであれば、Ｓ８のスイッチ操作で設定された使用者（被測定者）の切替えであると判定し（Ｓ１８で‘使用者選択スイッチ’）、ＣＰＵ１６１は表示領域２Ｂの使用者の別の表示を、パルス信号が与えられた入力ポートに対応の使用者の別を示すように表示を切替える（Ｓ１９）。
【００５４】
そして、ＣＰＵ１６１は使用者の設定を切替える（Ｓ２０）。たとえば、入力ポート７２Ａにパルス信号が与えられた場合には、使用者を“Ａ”、すなわち測定結果の書込先および呼出し先を測定結果記憶領域１３Ａと設定し、入力ポート７２Ｂにパルス信号が与えられた場合には、使用者を“Ｂ”に切替え、すなわち測定結果の書込先および呼出し先を測定結果記憶領域１３Ｂと設定する。その後、Ｓ１０に戻りスイッチ入力待ちの状態に移行する。
【００５５】
一方、パルス信号が入力ポート７４に与えられたことを判定すると（Ｓ１８で‘記録呼出スイッチ’）、ＣＰＵ１６１は表示領域２Ｃに記録された測定結果データを呼出す記録呼出モードが設定されたことを明示するために表示領域２Ｃに‘記録’の文字を表示する（Ｓ２１）。その後、被測定者は呼出し対象のデータを朝または夜のいずれの測定結果データであるかを指定するために、朝スイッチ４５と夜スイッチ４６のいずれかを操作する（Ｓ２２）。ＣＰＵ１６１は表示領域２Ａに呼出される測定結果データは‘朝’および‘夜’のいずれであるかを操作スイッチの種別に基づき判別して、判別結果を表示領域２Ｃに追加して表示する（Ｓ２３）。
【００５６】
次に、ＣＰＵ１６１は、血圧測定結果をメモリ１３から呼出す（Ｓ２４）。すなわち、Ｓ８またはＳ２０で設定された使用者（Ａ）または（Ｂ）のいずれかに対応の測定結果記憶領域１３Ａおよび１３Ｂのいずれかから、Ｓ２２で指定された‘朝’または‘夜’に該当する（‘朝/夜の別’が‘朝’または‘夜’を指示する）測定結果データを読出して、表示領域２Ａに表示する。この場合の表示態様の一例が図１０に示される。その後、ステップＳ１０の処理に戻る。
【００５７】
次に、Ｓ１２以降の血圧測定の動作について説明する。
被測定者は測定スイッチ４３を操作するので（Ｓ１１で‘測定スイッチ’）、ＣＰＵ１６は、血圧の測定モードに移行して表示領域２Ｃに‘測定’の文字を表示する（Ｓ１２）。これにより、被測定者は指示した通り血圧測定が可能な状態に移行したことを知ることができる。
【００５８】
次に、ＣＰＵ１６１は各部を制御して、空気袋内の圧力を被測定者の最高血圧＋４０ｍｍＨｇ程度まで徐々に加圧し（Ｓ１３）、その後、徐々に空気袋内の圧力を減圧していく（Ｓ１４）。この減圧過程において空気袋内の圧力は圧力センサ７および増幅回路８で検出されるので、制御部１６の血圧算出部（図示せず）は増幅回路８から出力される電圧信号に基づき血圧（最高血圧および最低血圧）値ならびに脈拍数を算出してＣＰＵ１６１の内部メモリに一時的に格納するとともに（Ｓ１５）、ＣＰＵ１６１は算出された血圧値および脈拍数を表示部２の表示領域２Ａに表示する（Ｓ１６）。血圧測定のための加圧・減圧の処理は従来の電子血圧計のそれと同様である。なお、ここでは血圧測定は減圧過程でするとしているが加圧過程で行なうようにしてよい。測定中は、逐次検出（算出）される血圧値が更新されながら図９のように表示領域２Ａに表示される。
【００５９】
ＣＰＵ１６１は、血圧と脈拍の算出・表示が終了すると、タイマ１４から与えられる計時データに基づき測定時間データを取得する。そして取得した計時データが‘朝’の所定時間帯に該当すれば‘朝/夜の別’を‘朝’と設定し、‘夜’の所定時間帯に該当すれば‘朝/夜の別’を‘夜’と設定する。そして、取得した測定時間データと、設定した‘朝/夜の別’のデータと、ＣＰＵ１６１の内部メモリから読出した血圧（最高血圧および最低血圧）値ならびに脈拍数を示すデータからなる測定結果データを生成して、生成された測定結果データをＳ８またはＳ２０で書込先（格納先）として設定された測定結果記憶領域１３Ａまたは１３Ｂに格納する（Ｓ１７）。これで、一連の血圧測定は終了し、Ｓ１０に戻る。
【００６０】
このように、Ｓ３、Ｓ９、Ｓ１２、Ｓ１９、Ｓ２１、Ｓ２３における各種スイッチの操作に応じたデータは、操作される各種スイッチに近接して設けられる領域２Ａ、２Ｂおよび２Ｃで表示されるので、被測定者はスイッチ操作することにより電子血圧計１に与えた指示を、または指示により設定された電子血圧計１の動作を確認するのが容易となる。したがって、操作ミスを速やかに知ることができるから、誤操作を防止することが容易となる。
【００６１】
（表示領域の他の例）
図１１を参照して表示部２の表示領域の他の配置例を説明する。ここでは操作スイッチの配列に従い各操作スイッチの操作に応じた表示をするための領域が配列される。
【００６２】
図１１には、各種スイッチの操作に応じたデータ表示する領域２Ａ、２Ｂ、２１Ｃ、２２Ｃおよび２３Ｃは、操作される各種スイッチの配列（配置）に従い、当該配列と同じとなるように配列（配置）される。領域２Ｂには、近接した使用者選択スイッチ４２Ａと４２Ｂと同じ配列で操作に応じたデータが表示される。図１１では左側の使用者選択スイッチ４２Ａが操作されたので表示領域２Ｂでも左側に‘Ａ’の文字が表示される。
【００６３】
また、領域２１Ｃには近接した朝スイッチ４５と夜スイッチ４６と同じ配列で操作に応じたデータが表示される。図１１では右側の夜スイッチ４６が操作されたので表示領域２１Ｃでも右側に‘夜’の文字が表示される。
【００６４】
また、領域２２Ｃには近接した記録呼出スイッチ４４の操作に応じたデータが表示される。記録スイッチ４４が操作されると‘記録’の文字が領域２２Ｃの右側に表示される。
【００６５】
また、領域２３Ｃには、近接した測定スイッチ４３が操作されると‘測定’の文字が表示される。
【００６６】
（表示領域のさらなる他の例）
図１２を参照して表示部２の表示領域のさらなる他の配置例を説明する。
【００６７】
図１２には、図１１の表示領域２Ｂがより使用者選択スイッチ４２Ａと４２Ｂに近接して設けられて、表示領域２Ｂの領域２１Ｂと２２Ｂはスイッチと同じ配列で設けられて、操作に応じたデータを表示する。図１２では左側の使用者選択スイッチ４２Ａが操作されたので左の表示領域２１Ｂに‘Ａ’の文字が表示される。
【００６８】
本実施の形態は、複数人で電子血圧計１が共用できる場合を想定していたが、共用できない場合にも、すなわちメモリ１３に測定結果の記憶領域が個人毎に設けられない場合にも同様に適用することが可能である。その場合には、操作部４の使用者選択スイッチ群４２および表示部２の表示領域２Ｂは設けられない。
【００６９】
また、表示領域２Ｃまたは２２Ｃには記録呼出モードまたは血圧の測定モードの別を表示して、現在の電子血圧計１の動作モードを被測定者に報知することができる。
【００７０】
ここでは、血圧測定結果データのメモリ１３への格納時、またはメモリ１３からの測定結果データの呼出し時には、すなわち図５のＳ１７またはＳ２４の処理を実行時には、領域２Ｃの表示データの表示態様を変える（色の変更、点灯→点滅に変化させる、点滅→点灯に変化させる、または消去する）ことにより、被測定者に対してスイッチ操作を禁止する旨を報知してもよい。このようにすることで、メモリ１３のデータのアクセス中にスイッチ操作という外部要因によってアクセスが正常に行なわれずデータが破壊されるなどの障害を防止することができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】実施の形態に係る電子血圧計の概観図である。
【図２】実施の形態に係る電子血圧計の概観図である。
【図３】実施の形態に係る電子血圧計の概観図である。
【図４】実施の形態に係る電子血圧計の機能構成図である。
【図５】実施の形態に係る電子血圧計の処理フローチャートである。
【図６】実施の形態に係る表示態様の一例を示す図である。
【図７】実施の形態に係る表示態様の一例を示す図である。
【図８】実施の形態に係る表示態様の一例を示す図である。
【図９】実施の形態に係る表示態様の一例を示す図である。
【図１０】実施の形態に係る表示態様の一例を示す図である。
【図１１】実施の形態に係る表示領域の他の例を示す図である。
【図１２】実施の形態に係る表示領域のさらに他の例を示す図である。
【符号の説明】
【００７３】
１  電子血圧計、２  表示部、４  操作部、２Ａ，２Ｂ，２Ｃ  表示領域。
【図１】
2007044439.tif 000003
【図２】
2007044439.tif 000004
【図３】
2007044439.tif 000005
【図４】
2007044439.tif 000006
【図５】
2007044439.tif 000007
【図６】
2007044439.tif 000008
【図７】
2007044439.tif 000009
【図８】
2007044439.tif 000010
【図９】
2007044439.tif 000011
【図１０】
2007044439.tif 000012
【図１１】
2007044439.tif 000013
【図１２】
2007044439.tif 000014